(57)【要約】【課題】オブジェクト指向を適用したシステムなどのようにクラスを用いてダイナミックにインスタンスを生成し動作させるシステムにおいても、１回試験した内容については、再試験できるようにした設備保全管理システムを得る。【解決手段】ソフトウェアを構成する部品に、この部品に固有の部品識別子及び部品が入出力操作されるときの固有の入出力信号識別子並びに部品が画面表示される画面単位に固定情報として与えられた画面識別子のパラメータを固定パラメータ付加手段２１によって付加し、このパラメータにより試験時の操作情報及び試験結果である表示情報をトレース記録書込手段２２によりトレース記録ＤＢ１１の所定の箇所に記憶するようにして、変更されたソフトウェアの再試験時に利用する。【選択図】図１
2008262473.tif 000002
【特許請求の範囲】
【請求項１】
設備を保全管理するための機能を構成するオブジェクト指向のクラスから、動作するソフトウェアをダイナミックに生成する設備保全管理システムにおいて、
上記ソフトウェアを生成するとともに、この生成されたソフトウェアを試験するためのトレースモード及びテストモードを有するサーバ、及びこのサーバによる上記ソフトウェアの試験に用いられた操作情報と試験結果である上記ソフトウェアの表示情報とを格納するトレース記録装置を備え、
上記サーバは、上記生成されるソフトウェアを構成する部品に、この部品に固有の部品識別子及び上記部品が入出力操作されるときの固有の入出力信号識別子並びに上記部品が画面表示される画面単位に固定情報として与えられた画面識別子のパラメータを付加するパラメータ付加手段と、上記トレースモードのときに上記部品の操作情報及び表示情報を上記パラメータに基づき、上記トレース記録装置の所定の記憶部に書き込むトレース記録書込手段と、上記テストモードのときに上記部品の操作情報及び表示情報を上記パラメータに基づき、上記トレース記録装置の所定の記憶部から読み出すトレース記録読出手段とを有し、
上記トレースモードでは、操作入力を行って得られた操作情報に基づき、上記部品を試験し、試験結果である上記表示情報を得て、上記トレース記録書込手段により上記入力された操作情報及び上記表示情報を上記トレース記録装置に書き込み、
上記テストモードでは、上記トレース記録読出手段により上記トレース記録装置から読み出された操作情報を用いて上記部品を試験し、この試験結果得られる表示情報と上記トレース記録装置に格納された表示情報とを比較することを特徴とする設備保全管理システム。
【請求項２】
上記ソフトウェアの試験は、上記画面識別子により識別される画面単位で行われることを特徴とする請求項１記載の設備保全管理システム。
【請求項３】
上記サーバは、上記テストモードでの処理を中断する画面識別子を記憶し、この記憶された画面識別子と一致する画面の最後の動作が完了した時に、上記処理を中断する中断手段を有することを特徴とする請求項１記載の設備保全管理システム。
【請求項４】
上記サーバは、上記テストモードでの処理を中断する部品識別子を記憶し、この記憶された部品識別子と一致する部品の動作が完了した時に、上記処理を中断する中断手段を有することを特徴とする請求項１記載の設備保全管理システム。
【請求項５】
上記サーバは、テストモードでの処理を中断する入出力信号識別子とこれに対応するデータを記憶し、この記憶された入出力信号識別子と一致する部品が処理するデータと、上記記憶されたデータとを比較し、この比較結果に応じて上記処理を中断する中断手段を有することを特徴とする請求項１記載の設備保全管理システム。
【発明の詳細な説明】
【技術分野】
【０００１】
この発明は、設備及び設備を構成する部品等の点検、保守、補修等の時期及び実施内容を計算機を用いて管理するために、オブジェクト指向技術で構築する試験機能を備えた設備保全管理システムに関するものである。
【背景技術】
【０００２】
近年の計算機により構成する設備保全管理システムでは、そのソフトウェアをオブジェクト指向技術で構成している。一方、従来より、例えば特許文献１に記載されているように、オブジェクト指向技術以外のソフトウェアの試験として、試験入力を記録し、試験結果を記録することで、再度の試験の効率化を図ることが行われている。
【０００３】
【特許文献１】特開平９−８１４１５号公報（第３頁、図１）
【発明の開示】
【発明が解決しようとする課題】
【０００４】
しかしながら、オブジェクト指向技術のソフトウェアでは、特許文献１のような、試験入力を記録し、試験結果を記録することで、再度の試験の効率化を図ることができなかった。
オブジェクト指向を適用したシステムでは、クラスを用いてダイナミックに実際に動作するソフトウェア機能（以下、インスタンスという。）をメモリ上の空エリアに生成し、動作させる。このシステムにおいては、当該クラスの修正時のみならず、別のクラスのプログラムを修正した場合でも、インスタンスの発生順序またはリソースの割り当て等がその都度変化するため、例えば前回試験と同じメモリの番地を用いて、当該インスタンスに試験入力を与えることができなくなる、或いは試験結果を比較できなくなるなどの問題が生じる。
また、一つのクラスより複数のインスタンスを同時発生する場合、試験においてもどのインスタンスを試験しているかを区別するのが、困難な場合が多いという問題もあった。
特に、設備保全管理システムにおいては、データベースの検索と表示に関する類似した機能が非常に多数あるため、検索結果が正しく表示されることを確認する試験では、多大な労力とコストを要していた。
このように、クラスからダイナミックにインスタンスを生成して動作させる設備保全管理システムにおいては、１回試験した後のプログラムの改修後の再試験は、１回目と同じ試験を人間が再度実施するしかなく、また改修した個所以外に悪影響が無いことを全て再試験することは、その扱うデータ量の多さにより、極めて多大な労力を要することになり、コスト的にも品質的にも問題があった。
【０００５】
この発明は、上記のような課題を解決するためになされたものであり、オブジェクト指向を適用したシステムなどのようにクラスを用いてダイナミックにインスタンスを生成し動作させるシステムにおいても、１回試験した内容を、自動で再試験できるようにした設備保全管理システムを得ることを目的としている。
【課題を解決するための手段】
【０００６】
この発明に係わる設備保全管理システムにおいては、設備を保全管理するための機能を構成するオブジェクト指向のクラスから、動作するソフトウェアをダイナミックに生成する設備保全管理システムにおいて、
ソフトウェアを生成するとともに、この生成されたソフトウェアを試験するためのトレースモード及びテストモードを有するサーバ、及びこのサーバによるソフトウェアの試験に用いられた操作情報と試験結果であるソフトウェアの表示情報とを格納するトレース記録装置を備え、
サーバは、生成されるソフトウェアを構成する部品に、この部品に固有の部品識別子及び部品が入出力操作されるときの固有の入出力信号識別子並びに部品が画面表示される画面単位に固定情報として与えられた画面識別子のパラメータを付加するパラメータ付加手段と、トレースモードのときに部品の操作情報及び表示情報をパラメータに基づき、トレース記録装置の所定の記憶部に書き込むトレース記録書込手段と、テストモードのときに部品の操作情報及び表示情報をパラメータに基づき、トレース記録装置の所定の記憶部から読み出すトレース記録読出手段とを有し、
トレースモードでは、操作入力を行って得られた操作情報に基づき、部品を試験し、試験結果である表示情報を得て、トレース記録書込手段により入力された操作情報及び表示情報をトレース記録装置に書き込み、
テストモードでは、トレース記録読出手段によりトレース記録装置から読み出された操作情報を用いて部品を試験し、この試験結果得られる表示情報とトレース記録装置に格納された表示情報とを比較するものである。
【発明の効果】
【０００７】
この発明は、以上説明したように、設備を保全管理するための機能を構成するオブジェクト指向のクラスから、動作するソフトウェアをダイナミックに生成する設備保全管理システムにおいて、
ソフトウェアを生成するとともに、この生成されたソフトウェアを試験するためのトレースモード及びテストモードを有するサーバ、及びこのサーバによるソフトウェアの試験に用いられた操作情報と試験結果であるソフトウェアの表示情報とを格納するトレース記録装置を備え、
サーバは、生成されるソフトウェアを構成する部品に、この部品に固有の部品識別子及び部品が入出力操作されるときの固有の入出力信号識別子並びに部品が画面表示される画面単位に固定情報として与えられた画面識別子のパラメータを付加するパラメータ付加手段と、トレースモードのときに部品の操作情報及び表示情報をパラメータに基づき、トレース記録装置の所定の記憶部に書き込むトレース記録書込手段と、テストモードのときに部品の操作情報及び表示情報をパラメータに基づき、トレース記録装置の所定の記憶部から読み出すトレース記録読出手段とを有し、
トレースモードでは、操作入力を行って得られた操作情報に基づき、部品を試験し、試験結果である表示情報を得て、トレース記録書込手段により入力された操作情報及び表示情報をトレース記録装置に書き込み、
テストモードでは、トレース記録読出手段によりトレース記録装置から読み出された操作情報を用いて部品を試験し、この試験結果得られる表示情報とトレース記録装置に格納された表示情報とを比較するので、オブジェクト指向のクラスを用いてダイナミックにインスタンスを生成し、動作させるシステムにおいても、１回試験した内容を、自動で再試験することができる。
【発明を実施するための最良の形態】
【０００８】
実施の形態１．
以下、この発明の実施の形態１を図１に基づいて説明する。
図１は、この発明の実施の形態１による設備保全管理システムを示すシステム構成図である。
この発明では、オブジェクト指向のプログラムを構成するインスタンスを部品という。また、オブジェクト指向のプログラムを試験するために、設備保全管理システムは、入力される操作情報と試験結果である表示情報を記録するトレースモードと、記録された操作情報を用いて試験し、試験結果である表示情報を記録された表示情報と比較するテストモードの機能を有する。
トレースモードでは、部品識別子によって識別される部品の操作情報を記録するとともに、この部品識別子によって識別される部品の表示情報を記録する。
また、テストモードでは、部品識別子によって識別される部品の操作情報を記録より出力するとともに、この部品識別子によって識別される部品の表示情報を、記録された表示情報と比較する。
図１において、端末１とサーバ３は、ＬＡＮ２に接続されている。端末１には、操作情報を入力する入力手段と、表示情報を出力する表示手段が接続される。サーバ３には、ＬＡＮ２を介して、トレースモードによって記録される操作情報と表示情報を含むトレース記録が格納されるトレース記録ＤＢ１１が接続されている。トレース記録ＤＢ１１には、例えば、図５のように、発生した時分秒、部品を識別する部品識別子、部品の属する画面を識別する画面識別子、操作情報及び表示情報、入出力信号が記憶される。
サーバ３は、次のように構成される。
サーバ用ＤＢ４には、例えば図２のように、部品の種類、部品識別子、部品の属する画面を識別する画面識別子、部品の入出力信号識別子が記憶される。記憶領域５は、トレースモードかどうかを記憶する。記憶領域６は、テストモードかどうかを記憶する。
プログラム１０は、設備保全管理システムのオブジェクト指向のプログラムである。固定パラメータ付加手段２１（パラメータ付加手段）は、インスタンス（部品）を生成する際に、部品識別子、画面識別子、入出力信号識別子をパラメータとして、インスタンスに付加する。
トレース記録書込手段２２は、トレース記録ＤＢ１１へのトレース記録の書き込みを行う。トレース記録読出手段２３は、トレース記録ＤＢ１１からのトレース記録の読み出しを行う。比較判定手段２４は、テストモードの結果である部品表示情報と、トレース記録の部品表示情報との比較判定を行う。
【０００９】
図２は、この発明の実施の形態１による設備保全管理システムのサーバ用ＤＢの内容例を示す図である。
図２において、サーバ用ＤＢ４には、画面表示される画面構成部品について部品の種類３１ごとに、この部品の部品識別子３２と、部品が画面表示される画面単位の画面識別子３３と、部品対応の入出力信号識別子３４群とが定義され、格納される。ここで、部品識別子３２と部品対応の入出力信号識別子３４群は、部品個々に固有で固定されており、画面識別子は、同一画面に属する部品については同一で固定されている。
【００１０】
図３は、この発明の実施の形態１による設備保全管理システムのトレースモードの処理を示すフローチャートである。図３（ａ）は、操作情報入力処理、図３（ｂ）は、表示情報出力処理を示している。
【００１１】
図４は、この発明の実施の形態１による設備保全管理システムのテストモードの処理を示すフローチャートである。図４（ａ）は、操作情報入力処理、図４（ｂ）は表示情報出力処理を示している。
【００１２】
図５は、この発明の実施の形態１による設備保全管理システムのトレース記録ＤＢの内容を示す図である。
図５において、発生した時分秒と、部品に対する操作情報及び表示情報が記録され、図２に示される部品識別子、画面識別子が付与されている。
【００１３】
次に、動作について説明する。
図２は、サーバ用ＤＢ４の内容であり、部品の種類３１ごとに、画面表示される画面構成部品の部品識別子３２と、画面表示される画面単位の画面識別子３３、部品対応の入出力信号識別子３４群を示す例であり、部品識別子３２と部品対応の入出力信号識別子３４群は、部品個々に固有で固定されており、画面識別子３３は、同一画面に属する部品について同一で固定されている。これらは、インスタンス（部品）を生成する際のパラメータとして、固定パラメータ付加手段２１によりインスタンスに付加される。
【００１４】
次に、このようにして生成されたインスタンス（部品）の動作について説明する。
図３は、部品の入力と部品の出力を記憶する処理を示すフローチャートである。
図３（ａ）では、端末１のマウスあるいはキーボードよりの入力操作情報（例えば押下、あるいは文字入力。図５に例を示す。）を取り込み（処理Ｓ１）、記憶領域５のトレースモードが有意の場合は（処理Ｓ２）、これをトレース記録ＤＢ１１の入出力信号識別子の中の入力信号の識別子で決まる所定の個所（所定の記憶部）に記録し（処理Ｓ３）、部品処理Ｓ４（例えばマウス操作を受け付けるボタン処理、或いはキーボード入力を受け付ける入力窓処理）を行なう。
【００１５】
図３（ｂ）では、部品処理Ｓ４によって受け付けた内容に従って、部品処理Ｓ５（例えばＤＢ検索結果のリスト表示）を行ない、例えば端末１に画面表示するための部品表示情報（例えば、文字○○、数値△△の表示。図５に例を示す。）を生成し（処理Ｓ６）、記憶領域５のトレースモードが有意の場合は（処理Ｓ７）、これをトレース記録ＤＢ１１の入出力信号識別子の中の出力信号の識別子で決まる所定の個所に記録（処理Ｓ８）する。
このように動作することにより、試験される部品について、処理Ｓ１の入力操作情報および処理Ｓ６の出力表示情報がトレース記録ＤＢ１１の固定的な所定個所に記録される。
【００１６】
図４は、部品に前回入力操作情報を与え、部品の前回表示情報出力との一致を比較判定する手段である。
図４（ａ）で、記憶領域６のテストモードが有意な場合（処理Ｓ１１）は、トレース記録読出し処理Ｓ１２で、トレース記録ＤＢ１１の入出力信号識別子の中の入力信号の識別子で決まる所定の個所に格納された記録を読出し、操作情報の入力処理である部品処理Ｓ１４を行う。処理Ｓ１１で、記憶領域６のテストモードが有意でない場合には、マウスあるいはキーボードよりの操作情報（例えば押下、あるいは文字入力。図５に例を示す。）を取り込み（処理Ｓ１３）、部品処理Ｓ１４を行う。
【００１７】
図４（ｂ）では、部品処理Ｓ１４の内容に従って、部品処理Ｓ１５（例えばＤＢ検索結果のリスト表示）を行ない、画面表示するための部品表示情報を生成し（処理Ｓ１６）、記憶領域６のテストモードが有意な場合（処理Ｓ１７）は、処理Ｓ１８で、部品表示情報とトレース記録ＤＢ１１の入出力信号識別子の中の出力信号の識別子で決まる所定の個所に記録してある部品表示情報との比較判定を行なう。
これにより、トレースモードで記録した情報を用いて、テストモードでの部品プログラムのテストを行うことができる。
【００１８】
実施の形態１によれば、部品識別子、画面識別子、入出力信号識別子により、ダイナミックにインスタンスを生成するオブジェクト指向特有の動作においても、トレース記録ＤＢ１１での記録個所が固定化されるため、１回操作した操作手順と同じ手順を自動的に再現でき、インスタンスの再試験が極めて容易に行えるという効果がある。
【００１９】
以上の内容は、オブジェクト指向の言語でなくても、同様の効果を奏する。
また、端末１の数及び設置個所は、使用者に応じて構成してよく、ＬＡＮ２及びサーバ３の数及びその設置個所は、設備の規模、使用者数、信頼性等により決める。
さらに、サーバ用ＤＢ４、トレース記録ＤＢ１１、記憶領域５、６、設備保全システムのプログラム１０、固定パラメータ付加手段２１の配置個所は、図１に限定されず、システムの大きさ等により決まる構成により決定することで、同様な効果を奏する。
また、記憶領域５、記憶領域６の有意・無為の値を書込む方法は、通常の手段（例えば画面情報により制御する）によるものであってもよい。
【００２０】
実施の形態２．
図６は、この発明の実施の形態２による設備保全管理システムのサーバ用ＤＢの内容例を示す図である。
図６（ａ）は、画面仕様の変更前のもの、図６（ｂ）は、変更後のものである。図６において、３１〜３４は図２におけるものと同一のものである。
【００２１】
図７は、この発明の実施の形態２による設備保全管理システムのトレース記録ＤＢの内容を示す図である。
図７（ａ）は、画面仕様の変更前のもの、図７（ｂ）は変更後のものである。図７には、図５と同様のトレース記録ＤＢの内容が示されている。
【００２２】
実際のプログラムは、実施の形態１で述べた部品が集合してもので、これらが連鎖的に動作するように形成される。このプログラムの変更の個所は、通常部分的であり、変更のない部分については、前回の試験結果を活用できると効率的である。実施の形態２は、これに対処するもので、画面単位にプログラムを変更するようにしたものである。
サーバ用ＤＢ４の内容を示す図６（ａ）に対応するトレース記録ＤＢ１１の記録を図７（ａ）に示す。
図７（ａ）の記録は、画面識別子単位で記録している。画面識別子Ｂの画面において仕様変更があり、サーバ用ＤＢ４の内容が図６（ｂ）となった場合、トレース記録ＤＢ１１の記録内容である図７（ａ）は、当該画面識別子Ｂの部分のみが変更され、トレース記録ＤＢ１１は図７（ｂ）のようになる。
これにより、特定の画面について画面仕様変更が生じた場合においても、当該画面仕様変更が生じた画面についてのみ、実施の形態１の図３の動作を１回実施すれば、その他の画面については、実施の形態１の図４の動作をそのまま実施して、試験を行うことができる。
【００２３】
実施の形態２によれば、特定の画面について画面仕様変更が生じた場合でも、画面仕様変更が生じた画面についてのみ、トレースモードを実施すれば、画面仕様変更後の全体について、テストモードが実施でき、表示情報を比較判定できるため、再試験が極めて容易にできる効果がある。
【００２４】
実施の形態３．
図８は、この発明の実施の形態３による設備保全管理システムを示すシステム構成図である。
図８において、１〜６、１０、１１、２１〜２４は図１におけるものと同一のものである。図８では、サーバ３に処理を中断する中断手段２５を設けるとともに、処理を中断する画面の画面識別子と部品識別子を格納する記憶領域７を設けている。
【００２５】
図９は、この発明の実施の形態３による設備保全管理システムのサーバ用ＤＢの内容例を示す図である。
図９は、図２と同様の構成ながら、処理を中断する画面の画面識別子（ここではＡ）を記憶するようになっている。図９において、３１〜３４は図２におけるものと同一のものである。図９には、１画面の中で最後に動作する部品の印である部品印３５を設けている。
【００２６】
図１０は、この発明の実施の形態３による設備保全管理システムのテストモードの処理を示すフローチャートである。
図１０（ａ）は、操作情報入力処理、図１０（ｂ）は表示情報出力処理を示している。
【００２７】
プログラムの試験を実施する場合、被試験システムの外部入力を変更する必要がある場合がある。また、特定の画面実行直後のプログラムや各データベース・メモリ等の記憶部の値の状況を調べる必要がある場合がある。このため、処理を中断する中断手段２５を設けている。
画面識別子を記憶する手段として、図９に示すように、１画面の中で最後に動作する部品の印である部品印３５を有意（図９では１）とし、図１０の動作を実行することにより、図９に示す部品印３５の部品について、図１０の処理Ｓ２１、Ｓ２３を実行すると、図１０に示す処理Ｓ２２、Ｓ２４にて処理の実行を中断する。
ずなわち、図１０（ａ）では、図４（ａ）と同様に、Ｓ１１〜Ｓ１４を処理した後、テストモードが有意、かつ処理を中断画面中での最後の部品である場合（処理Ｓ２１）に、処理Ｓ２２で処理を中断する。
また、図１０（ｂ）では、図４（ｂ）と同様に、Ｓ１５〜Ｓ１８を処理した後、テストモードが有意、かつ処理を中断画面中での最後の部品である場合（処理Ｓ２３）に、処理Ｓ２４で処理を中断する。
また、部品印３５のついた中断させたい画面の画面識別子（図９では、Ａ）と上記最後に動作する部品の部品識別子を予め記憶領域７に格納して、図１０で、これを参照して実行すると、同様な効果を奏するとともに処理の高速化が図れる。
【００２８】
実施の形態３によれば、この中断中に被試験システムの外部入力を変更し、プログラムや各データベース・メモリ等の記憶処断の値の状況を調べ、中断を解いて処理を再開させることにより、試験が極めて容易にできる効果がある。
【００２９】
実施の形態４．
図１１は、この発明の実施の形態４による設備保全管理システムを示すシステム構成図である。
図１１において、１〜６、１０、１１、２１〜２５は図８におけるものと同一のものである。図１１では、処理を中断する部品の部品識別子を格納する記憶領域８を設けている。
【００３０】
図１２は、この発明の実施の形態４による設備保全管理システムのテストモードの処理を示すフローチャートである。
図１２（ａ）は、操作情報入力処理、図１２（ｂ）は、表示情報出力処理を示している。
【００３１】
プログラムの試験を実施する場合、被試験システムの外部入力を変更する必要がある場合がある。また、特定の画面実行直後のプログラムや各データベース・メモリ等の記憶処断の値の状況を調べる必要がある場合がある。
実施の形態４は、部品識別子を記憶する手段として、図９と同様な方法で、中断させたい部品についての印である部品印３５を有意とし、図１２のフローチャートを実行することにより、部品印３５のついた中断させたい部品について、図１２の処理Ｓ３１、Ｓ３２を実行すると、図１０と同様に、処理の実行を中断する。
ずなわち、図１２（ａ）では、図４（ａ）と同様に、Ｓ１１〜Ｓ１４を処理した後、テストモードが有意、かつ処理を中断する部品である場合（処理Ｓ３１）に、処理Ｓ２２で処理を中断する。
また、図１２（ｂ）では、図４（ｂ）と同様に、Ｓ１５〜Ｓ１８を処理した後、テストモードが有意、かつ処理を中断する部品である場合（処理Ｓ３２）に、処理Ｓ２４で処理を中断する。
また、部品印３５のついた中断させたい部品の部品識別子を予め記憶領域８に格納して、図１２では、これを参照して実行すると、同様な効果を奏するとともに、処理の高速化が図れる。
【００３２】
実施の形態４によれば、この中断中に被試験システムの外部入力を変更し、プログラムや各データベース・メモリ等の記憶処断の値の状況を調べ、中断を解くことにより処理を再開させることにより、試験が極めて容易にできる効果がある。
また、全ての部品について部品印を設けることにより、部品の実行毎に中断し、解除する、所謂シングルステップの動作を実現して、動作を確認することもでき、試験が極めて容易にできる効果がある。
【００３３】
実施の形態５．
図１３は、この発明の実施の形態５による設備保全管理システムを示すシステム構成図である。
図１３において、１〜６、１０、１１、２１〜２５は図８におけるものと同一のものである。図１３では、入出力信号識別子と記憶データを格納する記憶領域９を設けている。
【００３４】
図１４は、この発明の実施の形態４による設備保全管理システムのテストモードの表示情報出力処理を示すフローチャートである。
【００３５】
プログラムの試験を実施する場合、被試験システムのデータが予定外の場合、原因を特定するためにその断面での各種データを分析する必要がある場合がある。
実施の形態５は、記憶領域９に、予め入出力信号識別子と所定のデータを記憶させておき、図１４のフローチャートを実行することにより、記憶領域９の入出力信号識別子に対する所定のデータと、実際のデータが異なることを処理Ｓ４１で検出した場合は、処理Ｓ２４で実行を中断する。
すなわち、図１４では、図４（ｂ）と同様に、Ｓ１５〜Ｓ１８を処理した後、テストモードが有意、かつ入出力信号識別子の記憶データと実データ内容が不一致である場合（処理Ｓ４１）に、処理Ｓ２４で処理を中断する。
【００３６】
実施の形態５によれば、この中断中に必要なデータを分析することにより、原因の特定を極めて容易に行える効果がある。
【図面の簡単な説明】
【００３７】
【図１】この発明の実施の形態１による設備保全管理システムを示すシステム構成図である。
【図２】この発明の実施の形態１による設備保全管理システムのサーバ用ＤＢの内容例を示す図である。
【図３】この発明の実施の形態１による設備保全管理システムの部品の入力と出力の処理を示すフローチャートである。
【図４】この発明の実施の形態１による設備保全管理システムの部品に前回入力を与え、部品の前回出力との一致を比較判定する処理を示すフローチャートである。
【図５】この発明の実施の形態１による設備保全管理システムのトレース記録ＤＢの内容を示す図である。
【図６】この発明の実施の形態２による設備保全管理システムのサーバ用ＤＢの内容例を示す図である。
【図７】この発明の実施の形態２による設備保全管理システムのトレース記録ＤＢの内容を示す図である。
【図８】この発明の実施の形態３による設備保全管理システムを示すシステム構成図である。
【図９】この発明の実施の形態３による設備保全管理システムのサーバ用ＤＢの内容例を示す図である。
【図１０】この発明の実施の形態３による設備保全管理システムの部品に前回入力を与え、部品の前回出力との一致を比較判定する処理を示すフローチャートである。
【図１１】この発明の実施の形態４による設備保全管理システムを示すシステム構成図である。
【図１２】この発明の実施の形態４による設備保全管理システムの部品に前回入力を与え、部品の前回出力との一致を比較判定する処理を示すフローチャートである。
【図１３】この発明の実施の形態５による設備保全管理システムを示すシステム構成図である。
【図１４】この発明の実施の形態５による設備保全管理システムの部品に前回入力を与え、部品の前回出力との一致を比較判定する処理を示すフローチャートである。
【符号の説明】
【００３８】
１  端末
２  ＬＡＮ
３  サーバ
４  サーバ用ＤＢ
５〜９  記憶領域
１０  プログラム
１１  トレース記録ＤＢ
２１  固定パラメータ付加手段
２２  トレース記録書込手段
２３  トレース記録読出手段
２４  比較判定手段
２５  中断手段
【図１】
2008262473.tif 000003
【図２】
2008262473.tif 000004
【図３】
2008262473.tif 000005
【図４】
2008262473.tif 000006
【図５】
2008262473.tif 000007
【図６】
2008262473.tif 000008
【図７】
2008262473.tif 000009
【図８】
2008262473.tif 000010
【図９】
2008262473.tif 000011
【図１０】
2008262473.tif 000012
【図１１】
2008262473.tif 000013
【図１２】
2008262473.tif 000014
【図１３】
2008262473.tif 000015
【図１４】
2008262473.tif 000016